(57)【要約】【課題】使い勝手を向上させた建具を提供する。【解決手段】浴室と脱衣室との間に設置される建具であって、前記浴室と前記脱衣室とを連通させる開口部を有する枠体と、前記枠体に軸支される軸支部と、前記軸支部から横方向に離れた位置に設けられた戸先部と、を有し、前記枠体に対して前記軸支部を軸に前記浴室側へ動くことで前記開口部を開閉可能に支持される折り戸又は開き戸である障子と、前記枠体と前記障子との間に設けられ、前記障子で仕切られる前記浴室側と前記脱衣室側とを連通させる通気部と、前記枠体に設けられ、前記通気部を開閉する開閉部材と、を備え、前記開閉部材は、前記浴室側から操作可能であることを特徴とする建具である。【選択図】図３
2019143436.tif 000002
【特許請求の範囲】
【請求項１】
浴室と脱衣室との間に設置される建具であって、
前記浴室と前記脱衣室とを連通させる開口部を有する枠体と、
前記枠体に軸支される軸支部と、前記軸支部から横方向に離れた位置に設けられた戸先部と、を有し、前記枠体に対して前記軸支部を軸に前記浴室側へ動くことで前記開口部を開閉可能に支持される折り戸又は開き戸である障子と、
前記枠体と前記障子との間に設けられ、前記障子で仕切られる前記浴室側と前記脱衣室側とを連通させる通気部と、
前記枠体に設けられ、前記通気部を開閉する開閉部材と、
を備え、
前記開閉部材は、前記浴室側から操作可能であることを特徴とする建具。
【請求項２】
前記開閉部材は、一端側に設けれた軸部と、他端側に設けられた先端部と、を有し、
前記軸部は、前記枠体内に設けられ、前記枠体に回動可能に軸支され、
前記先端部は、前記枠体から前記浴室側へ突出するように延出していることを特徴とする請求項１記載の建具。
【請求項３】
前記開閉部材は、前記先端部と前記軸部との間に設けられた当接部をさらに有し、
前記当接部は、前記開閉部材が前記通気部を閉じた閉状態において、前記障子と当接し、
前記先端部は、前記閉状態において、前記障子と当接せず、前記当接部よりも浴室側に位置することを特徴とする請求項２記載の建具。
【請求項４】
前記開閉部材は、前記障子が前記開口部を開いた全開位置に移動した際に、前記通気部を開いた開状態となり、前記障子が前記全開位置から移動した後にも、前記開状態を維持するように構成されたことを特徴とする請求項３記載の建具。
【請求項５】
前記開閉部材は、前記当接部と前記軸部との間に設けられ、前記脱衣室側に向かって延出した延出部をさらに有することを特徴とする請求項３又は４に記載の建具。
【請求項６】
前記枠体は、前記障子に向かって延出した延出部を有することを特徴とする請求項１〜５のいずれか１つに記載の建具。
【請求項７】
前記障子は、前記枠体に向かって延出した延出部を有することを特徴とする請求項１〜６のいずれか１つに記載の建具。
【請求項８】
前記開閉部材を前記脱衣所側から操作可能とする操作部をさらに備えたことを特徴とする請求項１〜７のいずれか１つに記載の建具。
【発明の詳細な説明】
【技術分野】
【０００１】
本発明の態様は、一般的に、建具に関する。
【背景技術】
【０００２】
浴室と脱衣室との間の開口部に設置される折り戸や開き戸の建具がある。こうした建具において、浴室内での換気扇などの駆動に応じて脱衣室側から自動的に浴室内に通気するための通気部（換気経路）を設けることが知られている。
【０００３】
一方で、例えば、浴室内に湯水を噴霧することで、ミストサウナを楽しめる浴室も知られている。ミストサウナを実施するためには、上述した通気部を閉じ、ミストが脱衣室側に出ないようにしなければ、脱衣室側にミストが充満してしまい、脱衣室が濡れてしまったり、カビなどの発生の原因となったりしてしまう可能性がある。従って、通気部を開閉する開閉部材及びこの開閉部材を動作させるための操作部が必要である。
【０００４】
通気部を開閉する開閉部材を動作させるための操作部を建具の脱衣室側に設けると、例えば、入浴者が入浴途中にミストサウナを動作させようとした場合に、ミストサウナを実施するために一度脱衣室に移動しなければならず、非常に使い勝手が悪い。
【先行技術文献】
【特許文献】
【０００５】
【特許文献１】特開２０１５−２２７５６３号公報
【発明の概要】
【発明が解決しようとする課題】
【０００６】
本発明は、かかる課題の認識に基づいてなされたものであり、使い勝手を向上させた建具を提供することを目的とする。
【課題を解決するための手段】
【０００７】
第１の発明は、浴室と脱衣室との間に設置される建具であって、前記浴室と前記脱衣室とを連通させる開口部を有する枠体と、前記枠体に軸支される軸支部と、前記軸支部から横方向に離れた位置に設けられた戸先部と、を有し、前記枠体に対して前記軸支部を軸に前記浴室側へ動くことで前記開口部を開閉可能に支持される折り戸又は開き戸である障子と、前記枠体と前記障子との間に設けられ、前記障子で仕切られる前記浴室側と前記脱衣室側とを連通させる通気部と、前記枠体に設けられ、前記通気部を開閉する開閉部材と、を備え、前記開閉部材は、前記浴室側から操作可能であることを特徴とする建具である。
【０００８】
この建具によれば、開閉部材が浴室側から操作可能であることにより、入浴者が入浴途中にミストサウナを実施しようとした場合にも、一度脱衣室側に移動する必要がなくなり、使い勝手を向上させることができる。
【０００９】
第２の発明は、第１の発明において、前記開閉部材は、一端側に設けれた軸部と、他端側に設けられた先端部と、を有し、前記軸部は、前記枠体内に設けられ、前記枠体に回動可能に軸支され、前記先端部は、前記枠体から前記浴室側へ突出するように延出していることを特徴とする建具である。
【００１０】
この建具によれば、先端部が枠体から浴室側へ突出するように延出しているため、開閉部材を操作中に脱衣室側から誤って折り戸又は開き戸である障子が開かれた場合にも、開閉部材を操作している指が、開閉部材と枠体との間で挟まってしまう可能性を低減させることができる。
【００１１】
第３の発明は、第２の発明において、前記開閉部材は、前記先端部と前記軸部との間に設けられた当接部をさらに有し、前記当接部は、前記開閉部材が前記通気部を閉じた閉状態において、前記障子と当接し、前記先端部は、前記閉状態において、前記障子と当接せず、前記当接部よりも浴室側に位置することを特徴とする建具である。
【００１２】
この建具によれば、先端部が、閉状態において障子と当接せず、当接部よりも浴室側に位置することにより、開閉部材を操作中に脱衣室側から誤って折り戸又は開き戸である障子が開かれた場合にも、開閉部材を操作している指が、開閉部材と枠体との間で挟まってしまう可能性をより低減させることができる。
【００１３】
第４の発明は、第３の発明において、前記開閉部材は、前記障子が前記開口部を開いた全開位置に移動した際に、前記通気部を開いた開状態となり、前記障子が前記全開位置から移動した後にも、前記開状態を維持するように構成されたことを特徴とする建具である。
【００１４】
この建具によれば、開閉部材は、障子が開いた際に自動的に開状態となるため、浴室利用後に開閉部材を開状態にし忘れてしまい、浴室内の換気効率が低下してしまうことを抑制することができる。
【００１５】
第５の発明は、第３又は第４の発明において、前記開閉部材は、前記当接部と前記軸部との間に設けられ、前記脱衣室側に向かって延出した延出部をさらに有することを特徴とする建具である。
【００１６】
この建具によれば、シャワーから吐水された水など、浴室側からの水が通気部の部分にかかったとしても、通気部を通じて脱衣室側へ入り込んでしまうことを抑制することができる。
【００１７】
第６の発明は、第１〜第５のいずれか１つの発明において、前記枠体は、前記障子に向かって延出した延出部を有することを特徴とする建具である。
【００１８】
この建具によれば、シャワーから吐水された水など、浴室側からの水が通気部の部分にかかったとしても、通気部を通じて脱衣室側へ入り込んでしまうことを抑制することができる。
【００１９】
第７の発明は、第１〜第６のいずれか１つの発明において、前記障子は、前記枠体に向かって延出した延出部を有することを特徴とする建具である。
【００２０】
この建具によれば、シャワーから吐水された水など、浴室側からの水が通気部の部分にかかったとしても、通気部を通じて脱衣室側へ入り込んでしまうことを抑制することができる。
【００２１】
第８の発明は、第１〜第７のいずれか１つの発明において、前記開閉部材を前記脱衣所側から操作可能とする操作部をさらに備えたことを特徴とする建具である。
【００２２】
この建具によれば、脱衣室にいる人が、操作部を視認することで、開閉部材の開閉の状態を認識することができる。例えば、入浴者が入浴中である際に、ミストサウナを実施している可能性があることを、操作部の状態を視認することで、脱衣室にいる人に認識させることができる。これにより、ミストサウナの実施中に誤って障子を開けてしまい、ミストを脱衣室側に漏らしてしまうなどの事態の発生を抑制することができる。さらには、入浴前などに操作部を操作することによって、脱衣室側から開閉部材を操作することもでき、より使い勝手を向上させることができる。
【発明の効果】
【００２３】
本発明の態様によれば、使い勝手を向上させた建具を提供することができる。
【図面の簡単な説明】
【００２４】
【図１】実施形態に係る建具を模式的に表す正面図である。
【図２】実施形態に係る建具を模式的に表す正面図である。
【図３】図３（ａ）及び図３（ｂ）は、実施形態に係る建具の一部を模式的に表す断面図である。
【図４】図４（ａ）及び図４（ｂ）は、実施形態に係る建具の一部を模式的に表す断面図である。
【図５】図５（ａ）〜図５（ｃ）は、実施形態に係る建具の変形例を模式的に表す断面図である。
【図６】図６（ａ）及び図６（ｂ）は、実施形態に係る建具の変形例を模式的に表す断面図である。
【発明を実施するための形態】
【００２５】
以下、本発明の実施の形態について図面を参照しつつ説明する。なお、各図面中、同様の構成要素には同一の符号を付して詳細な説明は適宜省略する。
【００２６】
図１及び図２は、実施形態に係る建具を模式的に表す正面図である。  
図１及び図２に表したように、建具１０は、枠体２０と、障子３０と、を備える。建具１０は、浴室と脱衣室との間に設置して使用される浴室用の建具である。
【００２７】
枠体２０は、浴室と脱衣室とを連通させる開口部２２を有する。開口部２２は、例えば、略矩形状である。枠体２０は、例えば、略矩形の枠状である。
【００２８】
障子３０は、第１扉部３１と、第２扉部３２と、を有する。第１扉部３１は、枠体２０に軸支される軸支部３３を有する。軸支部３３は、上下方向を軸に枠体２０に軸支される。第２扉部３２は、軸支部３３から横方向に離れた位置に設けられた戸先部３４を有する。軸支部３３は、換言すれば、障子３０の一方の側端であり、戸先部３４は、換言すれば、障子３０の他方の側端である。障子３０は、枠体２０に対して軸支部３３を軸に浴室側へ動くことで開口部２２を開閉可能に軸支される。
【００２９】
第１扉部３１及び第２扉部３２は、例えば、略矩形の平板状である。第１扉部３１及び第２扉部３２の上下方向の長さは、開口部２２の上下方向の長さと実質的に同じか、僅かに短い程度である。第１扉部３１及び第２扉部３２の横方向の長さは、開口部２２の横方向の長さの半分の長さと実質的に同じか、僅かに短い程度である。これにより、図１に表したように、第１扉部３１と第２扉部３２とを横に並べて配置することで、開口部２２を閉じることができる。
【００３０】
上記のように、軸支部３３は、上下方向を軸に枠体２０に軸支されている。第１扉部３１の軸支部３３と反対側の側端は、第２扉部３２の戸先部３４と反対側の端部と回動可能に接続されている。第２扉部３２の戸先部３４は、上下方向を軸に回動可能、且つ横方向にスライド移動可能に枠体２０に支持されている。これにより、図２に表したように、第１扉部３１を軸支部３３を軸に回動させるとともに、第２扉部３２を回動させながら軸支部３３側にスライド移動させることにより、開口部２２を開くことができる。
【００３１】
このように、障子３０は、開口部２２を閉じた全閉位置（図１に表した位置）と、開口部２２を開いた全開位置（図２に表した位置）と、に移動する。障子３０で開口部２２を閉じることにより、浴室と脱衣室とを仕切ることができる。そして、障子３０で開口部２２を開くことにより、浴室への入退室が可能になる。
【００３２】
この例において、障子３０は、いわゆる折り戸である。第１扉部３１及び第２扉部３２は、全開位置に移動する際、浴室側（図１及び図２において紙面手前側）に向かって回動する。これにより、障子３０を開いた際に、第１扉部３１及び第２扉部３２の浴室側の面に付着した水滴が、脱衣室側に垂れ落ちてしまうことを抑制することができる。
【００３３】
なお、障子３０は、折り戸に限ることなく、開口部２２の形状に対応した一枚の扉部で開口部２２を開閉する開き戸でもよい。開き戸の場合には、一枚の扉部の一方の側端が軸支部３３となり、他方の側端が戸先部３４となる。また、開き戸の場合も同様に、障子３０は、浴室側に向かって回動する。
【００３４】
図３（ａ）、図３（ｂ）、図４（ａ）、及び図４（ｂ）は、実施形態に係る建具の一部を模式的に表す断面図である。  
図３（ａ）、図３（ｂ）、図４（ａ）、及び図４（ｂ）は、図１のＡ１−Ａ２線断面を模式的に表す。図３（ａ）、図３（ｂ）、及び図４（ｂ）は、障子３０が全閉位置にある状態を模式的に表し、図４（ａ）は、障子３０が全開位置にある状態を模式的に表す。
【００３５】
図３（ａ）、図３（ｂ）、図４（ａ）、及び図４（ｂ）に表したように、建具１０は、通気部４０と、開閉部材４２と、をさらに備える。通気部４０は、枠体２０と障子３０との間に設けられ、障子３０で仕切られる浴室側と脱衣室側とを連通させる。これにより、例えば、浴室内で換気扇などを駆動した際に、脱衣室側から浴室側へ向かう空気の流れを通気部４０を介して形成し、浴室内の換気効率を向上させることができる。通気部４０は、換言すれば、換気経路である。通気部４０は、例えば、枠体２０と軸支部３３との間に設けられる。但し、通気部４０の位置は、これに限ることなく、枠体２０と障子３０との間の任意の位置でよい。例えば、通気部４０は、枠体２０と戸先部３４との間に設けてもよい。
【００３６】
枠体２０のうち、軸支部３３と隣接する隣接部２４は、軸支部３３と反対側に向かって凹む凹状である。隣接部２４は、換言すれば、軸支部３３と対向する面を開放させた四角筒状である。この例では、この隣接部２４の内部の空間が、通気部４０となる。
【００３７】
開閉部材４２は、枠体２０に設けられ、通気部４０を開閉する。通気部４０を開いた場合には、前述のように、浴室内の換気効率を向上させることができる。一方、通気部４０を閉じた場合には、例えば、浴室内でミストサウナを実施する際に、ミストが脱衣室側に漏れてしまうことを抑制することができる。
【００３８】
開閉部材４２は、例えば、上下方向に延びる板状である。通気部４０及び開閉部材４２の上下方向の長さは、例えば、開口部２２（軸支部３３）の上下方向の長さに対して僅かに短い程度である。通気部４０及び開閉部材４２は、例えば、開口部２２の上下方向の略全体に設けられる。但し、通気部４０及び開閉部材４２の上下方向の長さは、開口部２２の上下方向の長さよりも短くてもよい。通気部４０及び開閉部材４２は、枠体２０と障子３０との間の少なくとも一部に設けられていればよい。枠体２０と障子３０との間の一部は、例えば、パッキンなどで気密性を有するように塞がれていてもよい。通気部４０及び開閉部材４２の上下方向の長さは、例えば、浴室において必要な換気量を満たすことができる任意の長さでよい。
【００３９】
開閉部材４２は、図３（ａ）に表したように通気部４０を閉じた閉状態と、図３（ｂ）に表したように通気部４０を開いた開状態と、に移動する。開閉部材４２は、浴室側から操作可能である。開閉部材４２は、入浴者などが浴室側から直接的に操作できるように枠体２０に設けられている。開閉部材４２は、入浴者などの手動操作により、上記の閉状態と開状態とに移動する。
【００４０】
開閉部材４２は、一端側に設けられた軸部４２ａと、他端側に設けられた先端部４２ｂと、有する。軸部４２ａは、枠体２０内に設けられ、枠体２０に回動可能に軸支される。先端部４２ｂは、枠体２０から浴室側へ突出するように延出している。
【００４１】
また、開閉部材４２は、先端部４２ｂと軸部４２ａとの間に設けられた当接部４２ｃをさらに有する。当接部４２ｃは、開閉部材４２が通気部４０を閉じた閉状態において、障子３０と当接する。当接部４２ｃは、例えば、閉状態において障子３０の軸支部３３に当接する。先端部４２ｂは、閉状態において、障子３０と当接せず、当接部４２ｃよりも浴室側に位置する。
【００４２】
図４（ａ）に表したように、開閉部材４２は、障子３０が開口部２２を開いた全開位置に移動した際に、通気部４０を開いた開状態となる。そして、図４（ｂ）に表したように、開閉部材４２は、障子３０が全開位置から移動した後にも、開状態を維持するように構成されている。すなわち、建具１０は、障子３０が全開位置から移動した後にも、開閉部材４２の開状態を維持する開状態維持手段を備える。開状態維持手段は、例えば、軸部４２ａの回動の摩擦力を調整することによって実現することができる。あるいは、開閉部材４２を開状態に維持するためのラッチ機構などで実現してもよい。ラッチ機構には、例えば、爪などを係合させて保持する機構や、磁石によって吸着保持する機構などを用いることができる。
【００４３】
以上、説明したように、本実施形態に係る建具１０では、開閉部材４２が浴室側から操作可能であることにより、入浴者が入浴途中にミストサウナを実施しようとした場合にも、一度脱衣室側に移動する必要がなくなり、使い勝手を向上させることができる。
【００４４】
また、建具１０では、先端部４２ｂが枠体２０から浴室側へ突出するように延出しているため、開閉部材４２を操作中に脱衣室側から誤って折り戸又は開き戸である障子３０が開かれた場合にも、開閉部材４２を操作している指が、開閉部材４２と枠体２０との間で挟まってしまう可能性を低減させることができる。また、先端部４２ｂを掴みやすくし、開閉部材４２の操作性を向上させることもできる。
【００４５】
また、建具１０では、先端部４２ｂが、閉状態において障子３０と当接せず、当接部４２ｃよりも浴室側に位置することにより、開閉部材４２を操作中に脱衣室側から誤って折り戸又は開き戸である障子３０が開かれた場合にも、開閉部材４２を操作している指が、開閉部材４２と枠体２０との間で挟まってしまう可能性をより低減させることができる。また、先端部４２ｂを掴みやすくし、開閉部材４２の操作性をより向上させることもできる。
【００４６】
また、建具１０では、開閉部材４２は、障子３０が開いた際に自動的に開状態となるため、浴室利用後に開閉部材４２を開状態にし忘れてしまい、浴室内の換気効率が低下してしまうことを抑制することができる。
【００４７】
図５（ａ）〜図５（ｃ）は、実施形態に係る建具の変形例を模式的に表す断面図である。  
なお、上記実施形態と機能・構成上実質的に同じものについては、同符号を付し、詳細な説明は省略する。また、図５（ａ）〜図５（ｃ）は、図３及び図４と同様に、図１のＡ１−Ａ２線断面に相当する。  
図５（ａ）に表したように、この例では、開閉部材４２が、延出部５０をさらに有する。延出部５０は、当接部４２ｃと軸部４２ａとの間に設けられ、脱衣室側に向かって延出している。
【００４８】
このように、開閉部材４２に延出部５０を設けることにより、シャワーから吐水された水など、浴室側からの水が通気部４０の部分にかかったとしても、通気部４０を通じて脱衣室側へ入り込んでしまうことを抑制することができる。
【００４９】
図５（ｂ）に表したように、この例では、枠体２０が、障子３０に向かって延出した延出部５２を有する。延出部５２は、例えば、軸支部３３に向かって延出する。このように、枠体２０に延出部５２を設けた場合にも、上記と同様に、シャワーから吐水された水など、浴室側からの水が通気部４０の部分にかかったとしても、通気部４０を通じて脱衣室側へ入り込んでしまうことを抑制することができる。
【００５０】
図５（ｃ）に表したように、この例では、障子３０が、枠体２０（通気部４０）に向かって延出した延出部５４を有する。延出部５４は、例えば、軸支部３３から枠体２０に向かって延出する。このように、障子３０に延出部５４を設けた場合にも、上記と同様に、シャワーから吐水された水など、浴室側からの水が通気部４０の部分にかかったとしても、通気部４０を通じて脱衣室側へ入り込んでしまうことを抑制することができる。
【００５１】
延出部５４は、例えば、第１部分５４ａと、第２部分５４ｂと、を有する。第１部分５４ａは、障子３０が全閉位置にある状態において、枠体２０に向かって延びる。第２部分５４ｂは、障子３０が全閉位置にある状態において、第１部分５４ａの枠体２０側の端部から前後方向に延びる。この例において、第２部分５４ｂは、障子３０が全閉位置にある状態において、浴室側に向かって延びる。第１部分５４ａの枠体２０側の端部は、通気部４０内に位置する。第２部分５４ｂは、通気部４０内に位置する。
【００５２】
このように、第１部分５４ａ及び第２部分５４ｂを設けることにより、通気部４０の部分の水の通り抜けを、より確実に抑制することができる。但し、延出部５４の構成は、上記に限ることなく、通気部４０の部分の水の通り抜けを抑制可能な任意の構成でよい。
【００５３】
また、建具１０は、延出部５０、５２、５４のそれぞれを有してもよいし、延出部５０、５２、５４のいずれかを組み合わせて有してもよい。これにより、通気部４０の部分の水の通り抜けを、より確実に抑制することができる。
【００５４】
図６（ａ）及び図６（ｂ）は、実施形態に係る建具の変形例を模式的に表す断面図である。  
なお、図６（ａ）及び図６（ｂ）は、図３及び図４と同様に、図１のＡ１−Ａ２線断面に相当する。  
図６（ａ）及び図６（ｂ）に表したように、この例では、建具１０が、操作部６０をさらに備える。操作部６０は、開閉部材４２を脱衣所側から操作可能とする。操作部６０の一端は、開閉部材４２に接続されている。操作部６０の他端は、枠体２０から脱衣室側へ突出するように延出している。操作部６０は、例えば、棒状である。これにより、操作部６０の他端側を把持して操作することで、脱衣室側から開閉部材４２の開閉動作を操作することができる。操作部６０は、例えば、開閉部材４２の軸部４２ａを軸に回動する。なお、図６（ｂ）に表したように、当接部４２ｃが軸支部３３から離間している状態においては、操作部６０と軸支部３３との間には、隙間が設けられており、浴室と脱衣室とを通気できる状態となっている。
【００５５】
この例において、枠体２０は、切り欠き部２６を有する。切り欠き部２６は、枠体２０の脱衣室側の面に設けられる。切り欠き部２６は、操作部６０を挿通可能とし、開閉部材４２の開状態と閉状態とに対応した操作部６０の回動を許容する。換言すれば、切り欠き部２６は、枠体２０と開閉部材４２との干渉を抑制する。
【００５６】
このように、操作部６０の回転軌道が大きく、枠体２０と干渉する場合などには、操作部６０の移動を許容するための切り欠き部２６などを枠体２０に設けてもよい。但し、枠体２０と操作部６０とが干渉しない場合には、切り欠き部２６を設ける必要は無い。切り欠き部２６は、必要に応じて設けられ、省略可能である。
【００５７】
このように、操作部６０を設けることにより、脱衣室にいる人が、操作部６０を視認することで、開閉部材４２の開閉の状態を認識することができる。例えば、入浴者が入浴中である際に、ミストサウナを実施している可能性があることを、操作部６０の状態を視認することで、脱衣室にいる人に認識させることができる。これにより、ミストサウナの実施中に誤って障子を開けてしまい、ミストを脱衣室側に漏らしてしまうなどの事態の発生を抑制することができる。さらには、入浴前などに操作部６０を操作することによって、脱衣室側から開閉部材４２を操作することもでき、より使い勝手を向上させることができる。
【００５８】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、建具１０、１００などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５９】
１０ 建具、  ２０ 枠体、  ２２ 開口部、  ２４ 隣接部、  ３０ 障子、  ３１ 第１扉部、  ３２ 第２扉部、  ３３ 軸支部、  ３４ 戸先部、  ４０ 通気部、  ４２ 開閉部材、  ５０、５２、５４ 延出部、  ６０ 操作部
【図１】
2019143436.tif 000003
【図２】
2019143436.tif 000004
【図３】
2019143436.tif 000005
【図４】
2019143436.tif 000006
【図５】
2019143436.tif 000007
【図６】
2019143436.tif 000008